(57)【要約】【課題】本願発明は、タンクローリーから食品工場内へホースを用いて食材を圧送、移送する際に、ホースや台車にできるだけ負荷を掛けないでホースを地面に接触させない台車を提供する。【解決手段】複数の車輪（２、２）で支持される基台（３）上に、支持するホース（５）の外周面と当接する湾曲面（６ａ）を形成した樋状部材（６）を取り付けてホース用台車（１）を構成した。樋状部材（６）の基台（３）への取り付けは、円弧状の切り欠き部（７ａ）を設けた支持板（７）、及び／又は、樋状部材（６）の長手方向に沿って配置し、下縁を基台（３）上に固定した側面板（８）によって行った。【選択図】図１
2004330818.tif 000002
【特許請求の範囲】
【請求項１】
タンクローリーに接続したホースが地面と接触しないように支持する台車であって、
複数の車輪で支持される基台上に、支持するホースの外周面と当接する湾曲面を形成した樋状部材を取り付けたことを特徴とするタンクローリーのホース用台車。
【請求項２】
樋状部材の基台への取り付けは、
円弧状の切り欠き部を設けた板体であって、前記切り欠き部を樋状部材の外周壁の湾曲面に沿わせて固定するとともに前記板体の下縁を基台上に固定する支持板、及び／又は、樋状部材の長手方向に沿って配置し、下縁を基台上に固定した側面板によって行うことを特徴とする請求項１記載のタンクローリーのホース用台車。
【請求項３】
樋状部材の内側の湾曲面に露出孔を設け、樋状部材の長手方向と直角に軸を配置し、当該露出孔から周面が露出するローラーを組み込んだことを特徴とする請求項１又は２記載のタンクローリーのホース用台車。
【請求項４】
ローラーの形状は、樋状部材の露出孔から露出した部分が樋上部材の内側の湾曲面の曲率と一致して当該湾曲面と略面一をなすように、外径が大径の両側縁から中心に向かって小径となる形状であることを特徴とする請求項３記載のタンクローリーのホース用台車。
【発明の詳細な説明】
【０００１】
【発明の属する技術分野】
この発明は、小麦粉や砂糖等の食材を積載したタンクローリーにホースを繋ぎ、当該ホースを用いて食材を食品工場内へ搬入する際に、ホースが地面に接触しないように、ホースを支持するタンクローリーのホース用台車に関する。
【０００２】
【従来の技術】
従来より、食品工場への食品の搬入は、食品を積載したタンクローリーにフレキシブルホース（以下、単に「ホース」という）を繋ぎ、タンクローリーから直接、工場内へ圧送、移送している。この際、ホースは、地面と接触した状態で作業を行っているのが実情である。
【０００３】
なお、作業ロボット等に連結された種々のホースやケーブルの引き回しを作業員を配置することなく行える移動具の提案がされている（特開平７−２５２０２５号公報）
【０００４】
【特許文献１】特開平７−２５２０２５号公報
【０００５】
【発明が解決しようとする課題】
従来のように、タンクローリーに繋いだホースを地面に接触した状態で使用すると、土等がホースの表面に附着して、衛生上好ましくない。特に、砂糖などを移送するときには、蟻が寄ってきて、ホースの表面に附着し、そのまま放置しておくと、ホースを外した際にホース内部に蟻が入り込むおそれもあった。
【０００６】
また、タンクローリーに繋ぐホースは、それ自体でも、重量があり、内部に食材が流入するとさらに重量が増し、また、ホース内部で食材が流動すると、ホースが振動し、ホースが地面に接触していると、摩擦によってその傷みが早くなる問題もあった。
【０００７】
さらに、ホースをタンクローリーのタンク部分に接続するジョイント部分にも負荷がかかり、ジョイント部分の損傷を招くおそれもあった。
【０００８】
特開平７−２５２０２５号公報記載の発明は、ホースやケーブルを台車上で支持するものであるので、ホース等を地面に接触させないようにすることができる。
【０００９】
しかし、特開平７−２５２０２５号公報記載の発明は、支持部材が板状の部材で構成されており、ホース等を板上の部材の縁部で支持する構成であるので、ホース等が接触する面積が小さく、重量が大きいタンクローリーに接続されるホースを支持するには不向きである。
【００１０】
また、特開平７−２５２０２５号公報記載の発明では、ホース等の側にもホルダーを備えなければならない構成となっている。
【００１１】
しかし、タンクローリーに繋ぐホースは、使用しないときには巻取して収納等しておかなければならず、ホルダーは巻取して収納等する際に邪魔になり、また、使用する際にいちいちホルダーを脱着することも食品の食品工場内への移送作業に支障をきたすおそれがあり好ましくなかった。
【００１２】
すなわち、本願発明は、タンクローリーから食品工場内へホースを用いて食材を移送する際に、ホースを地面に接触させないようにする台車であって、しかも、ホースを台車上へ載置する作業が極めて容易であるタンクローリーのホース用台車を提供することを課題とする。
【００１３】
【課題を解決するための手段】
本願発明は、タンクローリーから食品工場内へホースを用いて食材を圧送、移送する際に、ホースを地面に接触させない台車であって、タンクローリーに接続されたホースの接触面積が大きく、圧力を分散できる樋状部材を備えた台車によって前記課題を解決したのである。
【００１４】
即ち、本願発明は、タンクローリーに接続したホースが地面と接触しないように支持する台車であって、複数の車輪で支持される基台上に、支持するホースの外周面と当接する湾曲面を形成した樋状部材を取り付けたことを特徴とするタンクローリーのホース用台車である。
【００１５】
ここで、樋状部材の基台への取り付けは、円弧状の切り欠き部を設けた板体であって、前記切り欠き部を樋状部材の外周壁の湾曲面に沿わせて固定するとともに前記板体の下縁を基台上に固定する支持板、及び／又は、樋状部材の長手方向に沿って配置し、下縁を基台上に固定した側面板によって行うことができる。
【００１６】
また、樋状部材の内側の湾曲面に露出孔を設け、樋状部材の長手方向と直角に軸を配置し、当該露出孔から周面が露出するローラーを組み込んだ構成とすることもできる。
【００１７】
当該ローラーの形状は、樋状部材の露出孔から露出した部分が樋上部材の内側の湾曲面の曲率と一致して当該湾曲面と略面一をなすように、外径が大径の両側縁から中心に向かって小径となる形状とすることが望ましい。
【００１８】
【発明の実施の形態】
以下、この発明の実施の形態を図面に基づいて説明する。
【００１９】
本願発明のホース用台車１は、車輪２、２で支持される基台３上にタンクローリー４のホース５の一部を載置して支持するものであるが、ホース５内に食材を圧送、移送したり、ホースを引き回したりするときに、台車が転倒してしまわないように、安定状態を保てるものでなければならない。
【００２０】
このため、キャスター等の車輪２、２は、複数備えていることが望ましい。最低でも、２つの車輪２、２を左右に並列させれば、台車１の転倒のおそれを軽減することができるが、台車１の４隅にそれぞれ車輪２、２を配置すれば、台車１の転倒のおそれをさらに軽減できる。
【００２１】
なお、車輪２、２の間隔は、広くすれば広くする程、転倒しなくなるが、あまり広くしすぎても、スペースを取りすぎ、却って作業の邪魔にもなるので、適当な間隔に設定する。
【００２２】
本願発明のホース用台車１は、支持するホース５の外周面と当接する湾曲面６ａを形成した樋状部材６を備えている。
【００２３】
このように、樋状部材６を用いたのは、ホース５の長手方向に長く載置部分を確保でき、ホース５との接触面積を大きくできる為である。ホース５と、その載置部分の接触面積を大きくとることができれば、ホース５、台車１双方に加わる圧力を分散させることができるので、ホース５、台車１の損傷を軽減、回避できる。
【００２４】
また、ホース５の外周形状に合った湾曲面６ａを有する樋状部材６を用い、ホース５の接触面積を大きく取れば、ホースを安定して支持することができるため、ホース５に、安定支持の為のホルダーのようなものを別途、取り付ける必要がない。
【００２５】
樋状部材６は、ホース５を支持するものであるので、基台３に強固に取り付けられていることが必要である。ここで、外周壁６ｂの形状は、湾曲しているので、基台３への取り付けは、図示のように円弧状の切り欠き部７ａを設けた支持板７、７を用い、切り欠き部７ａを樋状部材６の外周壁６ｂの湾曲面に沿わせて固定し、支持板７、７の下縁は基台３上に固定する。図５図示の台車１は、支持板７、７のみで基台３条に樋状部材６を固定した例である。
【００２６】
また、図６図示の台車１のように、図５図示の支持板７、７に代えて、下縁を基台３上に固定し、上縁側８ａを樋状部材６に固定する側面板８、８を用いることもできる。
【００２７】
さらに、台車１の樋状部材６の取り付け強度を高める為に、図１、２図示の台車１のように、支持板７、７、側面板８、８、さらに、上面板１３、１３を取り付けて強度を高めた箱状に形成し、樋状部材６を固定して、支持する構成とすることもできる。
【００２８】
本願発明のホース用台車１に載置するホース５は、タンクローリー４から工場内へ食品を圧送、移送するものである。このため、ホース５は、使用時に、長手方向に引っ張られることがある。
【００２９】
このため、ホース５が樋状部材６に固定された状態となると、ホース５が引っ張られる力が台車１にも伝わり、台車１が負担を受けることが考えられる。
【００３０】
このため、ホース５は、樋状部材６上で、樋状部材６から落下しない程度に摺動できることが望ましい。そこで、台車１は、図４図示のようなローラー９を備えることができる。
【００３１】
すなわち、樋状部材６の内側の湾曲面６ａに露出孔１０、１０を設け、樋状部材６の長手方向（図４中、矢示１１の方向）と直角に軸１２を配置し、露出孔１０、１０から周面９ａ、９ａが露出するローラー９を組み込んだ構成とすることができる。
【００３２】
また、このローラー９、９の形状は、外径が大径の両側縁９ｂ、９ｂから中心９ｃに向かって小径となる形状であることが望ましい。
【００３３】
このような形状とすれば、樋状部材６の露出孔１０、１０から露出した部分（ローラー９の周面９ａ、９ａ）が樋上部材６の内側の湾曲面６ａの曲率と一致させて、当該湾曲面６ａと略面一をなすようにすることができる。
【００３４】
以上が、本願発明のホース用台車１の基本的な、構成であるが、本願発明のホース用台車１は、ホース５の長さに応じて、ホース５が地面に接触しない間隔で複数台、配置して使用することができる。
【００３５】
【実施例】
本願発明のホース用台車１の実施例を図面に基づき説明する。図１（ａ）は、本願発明のホース用台車１の平面図、（ｂ）は、正面図、（ｃ）は、右側面図である。また、図２（ａ）は、左側面図、（ｂ）は底面図である。
【００３６】
〔構成〕
この発明のホース用台車１は、以下のように構成する。
【００３７】
まず、半円形の切り欠き部７ａを設けた支持板７、７、側面板８、８をそれぞれ対向配置して箱状に形成し、下縁を基台３上に溶接して固定する。
【００３８】
また、支持板７、７の切り欠き部７ａに樋状部材６の湾曲面を合わせて、溶接して取り付ける。さらに、支持板７、７、側面板８、８、樋状部材６の上縁に上面板１３、１３を溶接して取り付ける。これらの部材の材質はＳＵＳ３０４であり、板厚は２ｍｍである。
【００３９】
基台３の裏側の四隅には、ウレタン製のキャスター２、２を取り付けてある。
【００４０】
さらに、２枚の側面板８、８一方には、台車１を移動させるときに掴むことができる取っ手１４を取り付けてある。
【００４１】
各部の寸法は、台車１の長さＬ（長手方向、図１（ａ）中、矢示１１の方向）が２６０ｍｍ、全幅Ｗ１が２７０ｍｍ（上面板１３、１３の幅Ｗ２が、それぞれ７０ｍｍ、樋状部材６の幅Ｗ３が１３０ｍｍ）である。なお、ホースの直径は１１０ｍｍである。
【００４２】
〔使用方法〕
このように構成されたホース用台車１の使用方法について説明する。
【００４３】
ホース用台車１は、図３図示のように、タンクローリー４に繋いだホース５が地面に接触しないようにホース５を台車１に載置して使用する。
【００４４】
以上、この発明の好ましい実施例を添付図面を参照して説明したが、本発明はかかる実施の形態に限定されるものではなく、特許請求の範囲の記載から把握される技術的範囲において種々な形態に変更可能である。
【００４５】
例えば、蟻がホースまで登ってこないように、基台に「返し」（ネズミ返しのようなもの）を設けたり、キャスター等に、蟻が嫌う物質を塗布しておくことなどができる。ただし、この台車１は、食品工場で使用し、ホースには食材が圧送されることになるので、蟻が嫌う物質は、くれぐれも人体に影響を与えないように物質の選定、塗布の方法を考慮する必要がある。
【００４６】
【発明の効果】
本発明は、複数の車輪で支持される基台上に、支持するホースの外周面と当接する湾曲面を形成した樋状部材を取り付けたタンクローリーのホース用台車としたので、タンクローリーから工場内へ食材を圧送、移送する際に、ホースが地面に接地しないので、ホースの汚れ、損傷を軽減することができる。
【００４７】
また、樋状部材でホースを受けるので、圧力を分散でき、ホース、台車の損傷を軽減することができる。
【００４８】
さらに、台車は、車輪を備えているので、ホースをタンクローリーのタンク部分に接続するジョイント部分の負荷を軽減できる効果あがる。
【００４９】
本願発明のホース用台車は、樋状部材の内側の湾曲面に露出孔を設け、樋状部材の長手方向と直角に軸を配置し、当該露出孔から周面が露出するローラーを組み込んだので、ホースが樋状部材上で摺動するので、材料の圧送、移送時の台車へのホースの振動の伝搬を軽減し、台車への負担を軽減することができる。
【００５０】
また、ローラーの形状を、樋状部材の露出孔から露出した部分が樋上部材の内側の湾曲面の曲率と一致して当該湾曲面と略面一をなすように、外径が大径の両側縁から中心に向かって小径となる形状とすることによって、ホースを湾曲面に接触させつつ、ローラーの効果を発揮することができる。
【図面の簡単な説明】
【図１】（ａ）  本願発明のホース用台車の平面図。
（ｂ）  同じく、正面図。
（ｃ）  同じく、右側面図。
【図２】（ａ）  同じく、左側面図。
（ｂ）  同じく、底面図。
【図３】本願発明のホース用台車の使用例の概念図。
【図４】（ａ）  樋状部材の内側の湾曲面にローラーを露出させた実施例の断面図。
（ｂ）  同じく平面図。
【図５】半円形の切り欠き部を設けた支持板のみで樋状部材を基台に取りつけた例の斜視図。
【図６】側面板のみで樋状部材を基台に取りつけた例の斜視図。
【符号の説明】
１  ホース用台車
２  キャスター
３  基台
４  タンクローリー
５  ホース
６  樋状部材
７  支持板
７ａ  切り欠き部
８  側面板
９  ローラー
１０  露出孔
【図１】
2004330818.tif 000003
【図２】
2004330818.tif 000004
【図３】
2004330818.tif 000005
【図４】
2004330818.tif 000006
【図５】
2004330818.tif 000007
【図６】
2004330818.tif 000008